(57)【要約】【課題】建築物の床下地中や二重スラブ内に構成した蓄熱槽内に土や砂利やコンクリート廃材等の蓄熱材を充填して、蓄熱材と熱交換させた空気を室内に供給するシステムでは、槽内に雑菌や水が入り込むことにより発生する悪臭や、蓄熱材からの塵埃が室内に供給されてしまうので、これを防ぐためには、槽内に湧水が入らないようにしたり、槽内を常に清潔にするために、防水する必要があり、施工の手間がかかる。【解決手段】このような課題を解決するために本発明では、蓄熱槽内に、蓄熱材としてコンクリート廃材塊を充填すると共に、空気導出部側に温度以外の空気調和の機能、即ち、湿度調整や塵埃除去機能を有する多孔質岩石や、脱臭機能を有する活性炭等の塊状物を充填したコンクリート廃材利用蓄熱システムを提案するものである。【選択図】      図１
2004169977.tif 000002
【特許請求の範囲】
【請求項１】
建築物の床の下方に構成した蓄熱槽内に、蓄熱材としてコンクリート廃材塊を充填し、蓄熱槽の一端側に空気導入部、他端側に空気導出部を配置すると共に、空気導出部側に温度以外の空気調和の機能を有する塊状物を充填したことを特徴とするコンクリート廃材利用蓄熱システム
【請求項２】
建築物の床の下方に構成した蓄熱槽内に、蓄熱材としてコンクリート廃材塊を充填し、蓄熱槽の一端側に空気導入部、他端側に空気導出部を配置すると共に、蓄熱槽内に複数の短パイプを分散配置したことを特徴とするコンクリート廃材利用蓄熱システム
【請求項３】
建築物の床の下方に構成した蓄熱槽内に、蓄熱材としてコンクリート廃材塊を充填し、蓄熱槽の一端側に空気導入部、他端側に空気導出部を配置すると共に、蓄熱槽の上部に散水ノズルを設け、底部に排水ピットを設けると共に、排水ピット内の水を排水する排水機構を構成したことを特徴とするコンクリート廃材利用蓄熱システム
【請求項４】
蓄熱槽の空気導出部側に温度以外の空気調和の機能を有する塊状物を充填したことを特徴とする請求項２又は３に記載のコンクリート廃材利用蓄熱システム
【請求項５】
温度以外の空気調和の機能を有する塊状物は、湿度調整及び塵埃除去機能を有する多孔質の岩石とすることを特徴とする請求項１又は４に記載のコンクリート廃材利用蓄熱システム
【請求項６】
温度以外の空気調和の機能を有する塊状物は、脱臭機能を有する活性炭とすることを特徴とする請求項１、４、５のいずれか１項に記載のコンクリート廃材利用蓄熱システム
【請求項７】
温度以外の空気調和の機能を有する塊状物は、殺菌又は滅菌剤を含浸させたものとすることを特徴とする請求項１、４〜６のいずれか１項に記載のコンクリート廃材利用蓄熱システム
【請求項８】
温度以外の空気調和の機能を有する塊状物は、大きさを空気導出部側に向かって次第に小さく構成することを特徴とする請求項１、４〜７のいずれか１項に記載のコンクリート廃材利用蓄熱システム
【請求項９】
蓄熱槽の上壁は建築物の床スラブにより構成して、その上側に居室を構成し、床スラブを通しての伝熱により居室内に放熱可能に構成することを特徴とする請求項１〜８のいずれか１項に記載のコンクリート廃材利用蓄熱システム
【請求項１０】
空気導入部は、導入口を蓄熱槽の複数の高さに配置して切換可能に構成したことを特徴とする請求項９に記載のコンクリート廃材利用蓄熱システム
【発明の詳細な説明】
【０００１】
【発明の属する技術分野】
本発明は、建築物におけるコンクリート廃材利用蓄熱システムに関するものである。
【０００２】
【従来の技術】
建築物の床下地中や二重スラブ内に構成した蓄熱槽内に土や砂利やコンクリート廃材等の蓄熱材を充填した構成とし、太陽熱集熱器等で温度が上昇した空気を蓄熱槽内に導入して蓄熱材の蓄熱を行うと共に、熱が必要な時間帯に外気や室内空気等の温度が低い空気を蓄熱槽内に導入して蓄熱材と熱交換させ、温度が上昇した空気を蓄熱槽内から導出して室内に導いて室内暖房に供する蓄熱システムが従来から提案されている。例えば実願昭６０−１５５９１０号（実開昭６２−６３６２２号）のマイクロフィルムを参照のこと。
【０００３】
【発明が解決しようとする課題】
このように蓄熱槽内を通して蓄熱材と熱交換させた空気を室内に供給するものでは、槽内に雑菌や水が入り込むことにより発生する悪臭や、蓄熱材からの塵埃が室内に供給されてしまうので、これを防ぐためには、槽内に湧水が入らないようにしたり、槽内を常に清潔にするために、防水する必要があり、施工の手間がかかる。また槽内で結露水が発生しないように、槽内に導入する空気の温湿度や槽内の温度を制限しなければならない。
【０００４】
また蓄熱槽の蓄熱容量を最大にするためには、熱媒としての空気を槽内に比較的均一に通す必要があり、導入口や導出口の位置が制約されたり、同じような大きさの蓄熱材を均一に配置したり、ダクトを設置する等の対策が必要であり、煩雑であると共に、システムが高価になり、実用的でなくなる。
本発明は以上のような課題を解決することを目的とするものである。
【０００５】
【課題を解決するための手段】
上述した課題を解決するために、まず請求項１の発明では、建築物の床の下方に構成した蓄熱槽内に、蓄熱材としてコンクリート廃材塊を充填し、蓄熱槽の一端側に空気導入部、他端側に空気導出部を配置すると共に、空気導出部側に温度以外の空気調和の機能を有する塊状物を充填したコンクリート廃材利用蓄熱システムを提案するものである。
【０００６】
請求項２の発明では、建築物の床の下方に構成した蓄熱槽内に、蓄熱材としてコンクリート廃材塊を充填し、蓄熱槽の一端側に空気導入部、他端側に空気導出部を配置すると共に、蓄熱槽内に複数の短パイプを分散配置したコンクリート廃材利用蓄熱システムを提案する。
【０００７】
請求項３の発明では、建築物の床の下方に構成した蓄熱槽内に、蓄熱材としてコンクリート廃材塊を充填し、蓄熱槽の一端側に空気導入部、他端側に空気導出部を配置すると共に、蓄熱槽の上部に散水ノズルを設け、底部に排水ピットを設けると共に、排水ピット内の水を排水する排水機構を構成したコンクリート廃材利用蓄熱システムを提案する。
【０００８】
請求項４の発明では、上記請求項２又は３のシステムにおいて、蓄熱槽の空気導出部側に温度以外の空気調和の機能を有する塊状物を充填することを提案する。
【０００９】
請求項５の発明では、上記請求項１又は４のシステムにおいて、温度以外の空気調和の機能を有する塊状物は、湿度調整及び塵埃除去機能を有する多孔質の岩石とすることを提案する。
【００１０】
請求項６の発明では、上記請求項１、４、５のいずれかのシステムにおいて、温度以外の空気調和の機能を有する塊状物は、脱臭機能を有する活性炭とすることを提案する。
【００１１】
請求項７の発明では、上記請求項１、４〜６のいずれかのシステムにおいて、温度以外の空気調和の機能を有する塊状物は、殺菌又は滅菌剤を含浸させたものとすることを提案する。
【００１２】
請求項８の発明では、上記請求項１、４〜７のいずれかのシステムにおいて、塊状物は、大きさを空気導出部側に向かって次第に小さく構成することを提案する。
【００１３】
請求項９の発明では、上記請求項１〜８のいずれかのシステムにおいて、蓄熱槽の上壁は建築物の床スラブにより構成して、その上側に居室を構成し、床スラブを通しての伝熱により居室内に放熱可能に構成することを提案する。
【００１４】
請求項１０の発明では、上記請求項９のシステムにおいて、空気導入部は、導入口を蓄熱槽の複数の高さに配置して切換可能に構成することを提案する。
【００１５】
請求項１の発明によれば、蓄熱時においては、暖房期では太陽熱集熱器等で温度が上昇した空気等、また冷房期では夜間の外気やクールチューブを通して冷却した空気等を空気導入部から蓄熱槽内に導入して、蓄熱材としてのコンクリート廃材塊と熱交換して、コンクリート廃材塊に蓄熱（冷熱を含む）を行った後、空気導出部を経て蓄熱槽から導出して外部に放出する。
【００１６】
放熱時には、外気又は室内空気を空気導入部から蓄熱槽内に導入して、蓄熱材としてのコンクリート廃材塊と熱交換した後、空気導出部を経て蓄熱槽から導出し、直接的に、または適宜の空調機の熱交換部を経て室内に供給する。
【００１７】
この際、蓄熱槽内のコンクリート廃材塊と熱交換した空気は、空気導出部側に充填した塊状物により、温度以外の空気調和がなされて、空調空気として質の高い空気を室内に供給することができる。
【００１８】
請求項２の発明では、蓄熱槽内にコンクリート廃材塊と共に複数の短パイプを分散配置しているので、この短パイプによる空気流通の良好な個所が分散配置され、このため蓄熱槽内の空気流通を均一化することができ、このことからデッドスペースが生じず、蓄熱槽内のコンクリート廃材塊による蓄熱と放熱を効率的に行うことができる。
【００１９】
請求項３の発明では、散水ノズルからの洗浄水によってコンクリート廃材塊や塊状物の表面を洗浄することができ、洗浄を行った水は排水ピットから排水機構により蓄熱槽内から排出することができる。
【００２０】
従って蓄熱槽の施工直後にコンクリート廃材塊の表面に付着している塵埃や、使用中に蓄熱槽内に発生した雑菌や塵埃を洗浄することができる。この場合、洗浄水は通常の水の他、消毒水を使用することができる。
【００２１】
請求項４の発明では、請求項２又は３のシステムにおいて、請求項１のシステムと同様に、蓄熱槽内のコンクリート廃材塊と熱交換した空気を、空気導出部側に充填した塊状物により、温度以外の空気調和を行った後に、室内に供給することができる。
【００２２】
請求項５の発明では、塊状物を多孔質の岩石としているため、コンクリート廃材塊と熱交換した空気の空気調和として、湿度調整と塵埃除去を行うことができる。
【００２３】
請求項６の発明では、塊状物を活性炭としているため、コンクリート廃材塊と熱交換した空気の空気調和として脱臭を行うことができる。
【００２４】
請求項７の発明では、塊状物として殺菌又は滅菌剤を含浸させたものとすることにより、コンクリート廃材塊と熱交換した空気の空気調和として、殺菌又は滅菌を行うことができる。
【００２５】
請求項８の発明では、大きな塵埃は大きな塊状物間に捕捉され、そこを通過した小さな塵埃を小さな塊状物間に捕捉することにより、塵埃の除去と、湿度調整や脱臭等の空気調和を効率的に行うことができる。
【００２６】
請求項９の発明では、蓄熱槽内のコンクリート廃材塊に蓄熱された熱を床スラブを通しての伝熱により直接的に居室内に放熱することができる。
【００２７】
そして請求項１０の発明では、請求項９のシステムにおいて、蓄熱槽内に空気を導入する高さを切換えることにより、空気の流通経路を調節することができる。即ち、蓄熱槽の高い位置の空気導入部から空気を導入して、主として上部のコンクリート廃材塊に蓄熱を行うことにより、短時間の間で、床スラブを通しての伝熱により居室内に放熱を行うことができると共に、蓄熱槽の低い位置の空気導入部から空気を導入して、主として下部のコンクリート廃材塊に蓄熱を行うことにより、床スラブを通しての居室内への放熱を長時間を掛けて行うことができ、こうして放熱時間のコントロールを行うことができる。
【００２８】
【発明の実施の形態】
次に本発明の実施の形態を図を参照して説明する。
図１は本発明に係るコンクリート廃材利用蓄熱システムの第１の実施の形態の要部を示す説明的断面図である。
図において符号１は蓄熱槽であり、この蓄熱槽１の上壁２は建築物の床スラブにより構成しており、この床スラブ２の上側に居室３が構成されている。蓄熱槽１の一端側には空気導入部を構成する空気導入ダクト４、他端側には空気導出部としての空気導出ダクト５が配置されており、導入口４ａ，４ｂを蓄熱槽１の複数の高さに配置して切換可能に構成している。この実施の形態では、導入口４ａ，４ｂは、高低２位置に配置しており、図示を省略している切換ダンパ機構により、蓄熱槽１内に空気を導入する導入口４ａ，４ｂを選択する構成としている。尚、切換ダンパ機構は両方の導入口４ａ，４ｂから空気を導入するように動作可能な構成とすることもできる。また図示は省略しているが、少なくとも空気導出ダクト５側の適所には、空気を蓄熱槽内を経て流すための吸引ファンを設けている。
【００２９】
蓄熱槽１内には蓄熱材としてのコンクリート廃材塊６を主として充填すると共に、空気導出ダクト５側の一部に、温度以外の空気調和の機能を有する塊状物７（７ａ，７ｂ）を充填している。一般に、空気調和とは、空気の温度、湿度、気流、塵埃、バクテリア、臭気、有毒ガス等の条件を室内の人間又は物品に対して最も良好な条件に保つことをいうものであり、本発明における塊状物７は、温度以外のこのような空気調和の機能を有するものである。
【００３０】
図１中の右下がりハッチングを付し、コンクリート廃材塊６と隣接させて充填している塊状物７ａは大谷石等の多孔質の岩石であり、この塊状物７ａは温度以外の空気調和の機能として、湿度調整及び塵埃除去機能を有する。また図１中の点ハッチングを付し、塊状物７ａに隣接させて最も空気導出ダクト５側に充填している塊状物７ｂは活性炭であり、この塊状物７ｂは温度以外の空気調和の機能として脱臭機能を有する。塊状物７の他の例として、多孔質の塊等に殺菌又は滅菌剤を充填させたものを使用することができる。
【００３１】
この実施の形態では、図１に示すように、塊状物７ａの大きさはコンクリート廃材塊６と同程度としているが、塊状物７ｂはそれらよりも小さく構成しており、このように塊状物７の大きさを空気導出ダクト５側に向かって次第に小さく構成することにより、大きな塵埃は大きな塊状物７間に捕捉し、小さな塵埃を小さな塊状物７間に捕捉することになるので、塵埃の除去と、湿度調整や脱臭等の空気調和を効率的に行うことができる。
【００３２】
以上の構成において、空調を行わない時間帯においては、暖房期では太陽熱集熱器等で温度が上昇した空気、また冷房期では夜間の外気やクールチューブを通して冷却した空気、あるいは夜間電力で運転するヒートポンプを用いて発生させた空気等の蓄熱動作用の空気を、空気導入ダクト４から蓄熱槽１内に導入して、コンクリート廃材塊６間の隙間と塊状物７の間の隙間を流した後、空気導出ダクト５から蓄熱槽１の外部に導出する。空気導入ダクト４から導入された空気は蓄熱槽１内のコンクリート廃材塊６間の隙間を流れる際に熱交換して、コンクリート廃材塊６に蓄熱（冷熱を含む）を行う。このような蓄熱動作は、空調を行わない時間帯の間中、またはその時間帯内の所定時間だけ行って停止する。
【００３３】
このようにして蓄熱槽１内のコンクリート廃材塊６に蓄えられた熱は、空調時間帯において、床スラブ２を通しての伝熱により、徐々に上側の居室３に放熱されて冷暖房に供される。
【００３４】
そして、空調時間帯において、外気又は室内空気を、空気導入ダクト４から蓄熱槽１内に導入し、コンクリート廃材塊６間の隙間と塊状物７間の隙間を流れた後、空気導出ダクト５から蓄熱槽１の外部に導出し、直接に、又は空調機の熱交換器を経て居室３に供給して冷暖房に供することができる。
【００３５】
即ち、空気導入ダクト４から導入された空気は、蓄熱槽１内のコンクリート廃材塊６間の隙間を流れる際にコンクリート廃材塊６と熱交換して、暖房期においては加温され、また冷房期には冷却された後、塊状物７間の隙間を通る際、塊状物７ａを構成する多孔質の岩石により湿度調整と塵埃除去が行われた後、塊状物７ｂを構成する活性炭により脱臭が行われる。
【００３６】
このように蓄熱槽１内を通って居室３内に供給される空気は、コンクリート廃材塊６との熱交換により温度の点での空気調和が行われるばかりでなく、塊状物７により、上述した湿度調整、塵埃除去及び脱臭という、温度以外の点での空気調和が行われ、空調空気として質の高い空気を居室３内に供給することができる。こうしてコンクリート廃材塊６を蓄熱材として使用することによる塵埃や、蓄熱槽１に雑菌や水が入り込むことにより発生する悪臭が居室３内に供給されてしまうことを防止することができる。
【００３７】
次に図２は本発明に係るコンクリート廃材利用蓄熱システムの第２の実施の形態の要部を示す説明的断面図である。
図において符号１１は蓄熱槽であり、この蓄熱槽１１の上壁１２は建築物の床スラブにより構成しており、この床スラブ１２の上側に居室１３が構成されている。蓄熱槽１１の一端側には空気導入部を構成する空気導入ダクト１４、他端側には空気導出部を構成する空気導出ダクト１５が配置されている。そして蓄熱槽１１内には蓄熱材としてのコンクリート廃材塊１６を充填すると共に、複数の短パイプ１８を分散配置している。この短パイプ１８を分散配置する方向は三次元方向であり、その軸の向きを適宜に設定することができる。尚、図示は省略しているが、空気を蓄熱槽１１内を通して流すために、空気導出ダクト１５側等の適所にはファンを設けている。
【００３８】
以上の構成において、空調を行わない時間帯においては、暖房期では太陽熱集熱器等で温度が上昇した空気、また冷房期では夜間の外気やクールチューブを通して冷却した空気、あるいは夜間電力で運転するヒートポンプを用いて発生させた空気等の蓄熱動作用の空気を、空気導入ダクト１４から蓄熱槽１１内に導入して、コンクリート廃材塊１６間の隙間を流した後、空気導出ダクト１５から蓄熱槽１１の外部に導出する。空気導入ダクト１４から導入された空気は蓄熱槽１１内のコンクリート廃材塊１６間の隙間を流れる際に熱交換して、コンクリート廃材塊１６に蓄熱（冷熱を含む）を行う。
【００３９】
このようにして蓄熱槽１１内のコンクリート廃材塊１６に蓄えられた熱は、空調時間帯において、床スラブ１２を通しての伝熱により、徐々に上側の居室１３に放熱されて冷暖房に供される。
【００４０】
そして、空調時間帯において、外気又は室内空気を、空気導入ダクト１４から蓄熱槽１１内に導入し、コンクリート廃材塊１６間の隙間を流れた後、空気導出ダクト１５から蓄熱槽１１の外部に導出し、直接に、又は空調機の熱交換器を経て居室１３に供給して冷暖房に供することができる。
【００４１】
以上の動作において、この第２の実施の形態においては、蓄熱槽１１内にコンクリート廃材塊１６と共に複数の短パイプ１８を分散配置しているので、この短パイプ１８による空気流通の良好な個所が分散配置され、このため蓄熱槽１１内の空気流通を均一化することができ、このことからデッドスペースが生じず、蓄熱槽１１内のコンクリート廃材塊１６による蓄熱と放熱を効率的に行うことができる。
【００４２】
この第２の実施の形態の変形例として、蓄熱槽１１内には第１の実施の形態と同様にコンクリート廃材塊１６に加えて、温度以外の空気調和の機能を有する塊状物を充填することができるし、また空気導入ダクト１４は、導入口を蓄熱槽１１の複数の高さに配置して切換可能に構成することもできる。
【００４３】
次に図３は本発明に係るコンクリート廃材利用蓄熱システムの第３の実施の形態の要部を示す説明的断面図である。
図において符号２１は蓄熱槽であり、この蓄熱槽２１の上壁２２は建築物の床スラブにより構成しており、この床スラブ２２の上側に居室２３が構成されている。蓄熱槽２１の一端側には空気導入部を構成する空気導入ダクト２４、他端側には空気導出部を構成する空気導出ダクト２５が配置されている。空気導入ダクト２４は、導入口２４ａ，２４ｂを蓄熱槽１の高低２位置に配置して切換可能に構成している。尚、図示は省略しているが、このように空気を蓄熱槽２１内を通して流すために、空気導出ダクト２５側等の適所にはファンを設けている。
【００４４】
蓄熱槽２１内には蓄熱材としてのコンクリート廃材塊２６を主として充填すると共に、空気導出ダクト２５側の一部に、温度以外の空気調和の機能を有する塊状物２７（２７ａ，２７ｂ）を充填している。即ち、図３中の右下がりハッチングを付し、コンクリート廃材塊２６と隣接させて充填している塊状物２７ａは湿度調整及び塵埃除去機能を有する大谷石等の多孔質の岩石であり、またこの塊状物２７ａに隣接させて最も空気導出ダクト２５側に充填している塊状物２７ｂは脱臭機能を有する活性炭であり、この大きさは塊状物２７ａよりも小さく構成している。これらの塊状物２７に加えて、多孔質の塊等に殺菌又は滅菌剤を充填させたものを使用することもできる。
【００４５】
以上の構成に加えて、この第３の実施の形態では、蓄熱槽２１の上部に散水ノズル２８を設け、底部に排水ピット２９を設けると共に、排水ピット２９内の水を排水する排水機構３０を構成している。また蓄熱槽２１の底部は、排水ピット２９に向かって適宜傾斜させている。
【００４６】
以上の構成において、空調を行わない時間帯においては、暖房期では太陽熱集熱器等で温度が上昇した空気、また冷房期では夜間の外気やクールチューブを通して冷却した空気、あるいは夜間電力で運転するヒートポンプを用いて発生させた空気等の蓄熱動作用の空気を、空気導入ダクト２４から蓄熱槽２１内に導入して、コンクリート廃材塊２６間の隙間と塊状物２７の間の隙間を流した後、空気導出ダクト２５から蓄熱槽２１の外部に導出する。空気導入ダクト２４から導入された空気は蓄熱槽２１内のコンクリート廃材塊２６間の隙間を流れる際に熱交換して、コンクリート廃材塊２６に蓄熱（冷熱を含む）を行うことができる。
【００４７】
このようにして蓄熱槽２１内のコンクリート廃材塊２６に蓄えられた熱は、空調時間帯において、床スラブ２２を通しての伝熱により、徐々に上側の居室２３に放熱されて冷暖房に供される。
【００４８】
そして、空調時間帯において、外気又は室内空気を、空気導入ダクト２４から蓄熱槽２１内に導入し、コンクリート廃材塊２６間の隙間と塊状物２７間の隙間を流れた後、空気導出ダクト２５から蓄熱槽２１の外部に導出し、直接に、又は空調機の熱交換器を経て居室２３に供給して冷暖房に供することができる。
【００４９】
即ち、空気導入ダクト２４から導入された空気は、蓄熱槽２１内のコンクリート廃材塊１６間の隙間を流れる際にコンクリート廃材塊１６と熱交換して、暖房期においては加温され、また冷房期には冷却された後、塊状物２７間の隙間を通る際、塊状物２７ａを構成する多孔質の岩石により湿度調整と塵埃除去が行われた後、塊状物２７ｂを構成する活性炭により脱臭が行われる。
【００５０】
このように蓄熱槽２１内を通って居室２３内に供給される空気は、コンクリート廃材塊２６との熱交換により温度の点での空気調和が行われるばかりでなく、塊状物２７により、上述した湿度調整、塵埃除去及び脱臭という、温度以外の点での空気調和が行われ、空調空気として質の高い空気を居室２３内に供給することができる。こうしてコンクリート廃材塊２６を蓄熱材として使用することによる塵埃や、蓄熱槽２１に雑菌や水が入り込むことにより発生する悪臭が居室２３内に供給されてしまうことを防止することができる。
【００５１】
特に、この第３の実施の形態では、蓄熱槽２１の上部に設けた散水ノズル２８から洗浄水を散水し、この洗浄水によってコンクリート廃材塊２６や塊状物２７の表面を洗浄することができ、そして洗浄を行った水を排水ピット２９から排水機構３０により蓄熱槽２１内から排出することができる。
【００５２】
従って蓄熱槽２１の施工直後にコンクリート廃材塊２６の表面に付着している塵埃や、使用中に蓄熱槽２１内に発生した雑菌や塵埃を洗浄することができ、このことから、上述した塊状物２７が有する湿度調整、塵埃除去及び脱臭機能と相俟って、空調空気として非常に質の高い空気を居室２３内に供給することができる。この場合、洗浄水は通常の水の他、消毒水を使用することができる。
【００５３】
この第３の実施の形態の変形例として、蓄熱槽１１内には第２の実施の形態と同様に温度以外の空気調和の機能を有する塊状物の充填を省略することができるし、また空気導入ダクト２４は空気を導入する位置が固定されているように構成することもできる。
【００５４】
次に図４は本発明に係るコンクリート廃材利用蓄熱システムの全体構成の実施の形態を示す説明的断面図である。
図において符号３１は蓄熱槽であり、この蓄熱槽３１の上壁３２は建築物の床スラブにより構成しており、この床スラブ３２の上側に居室３３が構成されている。蓄熱槽３１の一端側には空気導入部を構成する空気導入ダクト３４、他端側には空気導出部を構成する空気導出ダクト３５が配置されており、夫々には切換機構３４ｖ，３５ｖが構成されている。これらの切換機構３４ｖ，３５ｖについては後述する。尚、図示は省略しているが、空気を蓄熱槽３１内を通して流すために、空気導出ダクト３５側等の適所にはファンを設けている。
【００５５】
蓄熱槽３１内には蓄熱材としてのコンクリート廃材塊３６を主として充填すると共に、空気導出ダクト３５側の一部に、図４中に右下がりハッチングを付して示すように温度以外の空気調和の機能を有する塊状物３７、この場合、湿度調整及び塵埃除去機能を有する大谷石等の多孔質の岩石を充填している。蓄熱槽３１には、この他、脱臭機能を有する活性炭や、多孔質の塊等に殺菌又は滅菌剤を充填させた塊状物を充填することもできる。
【００５６】
居室３３の屋根３８には太陽集熱器３９を構成しており、この太陽集熱器３９は、暖房期において太陽熱により空気を温めると共に、冷房期においては放射冷却熱により空気を冷やす構成としている。またこの建築物にはクールチューブ４０を設置している。
【００５７】
次に切換機構３４ｖ，３５ｖについて説明すると、まず空気導入ダクト３４側の切換機構３４ｖは、太陽集熱器３９に至るダクト４１ａと、クールチューブ４０に至るダクト４１ｂと、室外に至るダクト４１ｃを切換ダンパー４２を介して空気導入ダクト３４に接続して構成している。また空気導出ダクト３５側の切換機構３５ｖは、空気導出ダクト３５に接続した切換ダンパー４３に、居室３３内に至るダクト４４ａと、室外に至るダクト４４ｂを接続して構成している。
【００５８】
以上の構成において、暖房期の空調を行わない時間帯には、切換ダンパー４２によりダクト４１ａ又は４１ｂを選択し、また切換ダンパー４３によりダクト４４ｂを選択すると、太陽熱集熱器３９で温度が上昇した空気又はクールチューブ４０を経て温度が上昇した空気が、切換ダンパー４２を経て空気導入ダクト３４から蓄熱槽３１内に導入され、コンクリート廃材塊３６間の隙間と塊状物３７の間の隙間を流れて、コンクリート廃材塊３６と熱交換を行った後、空気導出ダクト３５から切換ダンパー４３を経てダクト４４ｂにより蓄熱槽３１の外部に導出される。
【００５９】
一方、冷房期の空調を行わない時間帯には、切換ダンパー４２によりダクト４１ｃ又は４１ｂを選択し、また切換ダンパー４３によりダクト４４ｂを選択すると、夜間の温度が低い外気や、クールチューブ４０を経て温度が低下した空気が、切換ダンパー４２を経て空気導入ダクト３４から蓄熱槽３１内に導入され、コンクリート廃材塊３６間の隙間と塊状物３７の間の隙間を流れて、コンクリート廃材塊３６と熱交換を行った後、空気導出ダクト３５から切換ダンパー４３を経てダクト４４ｂにより蓄熱槽３１の外部に導出される。
【００６０】
このようにして蓄熱槽３１内のコンクリート廃材塊３６に蓄えられた熱（冷熱を含む）は、空調時間帯において、床スラブ３２を通しての伝熱により、徐々に上側の居室３３に放熱されて冷暖房に供される。
【００６１】
また空調時間帯においては、暖房期では切換ダンパー４２によりダクト４１ａ又は４１ｂ（また場合によってはダクト４１ｃ）を選択すると共に、切換ダンパー４３によりダクト４４ａを選択すると、太陽集熱器３９又はクールチューブ４０を経た空気が蓄熱槽３１内のコンクリート廃材塊３６との熱交換により、更に温度が高くなって、ダクト４４ａから室内に供給されて暖房に供される。一方、冷房期では切換ダンパー４２によりダクト４１ｂ（また場合によってはダクト４１ｃ）を選択すると、クールチューブ４０を経た空気が蓄熱槽３１内のコンクリート廃材塊３６との熱交換により、更に温度が低くなって、ダクト４４ａから室内に供給されて冷房に供される。
【００６２】
上述と同様に、蓄熱槽３１内を通って居室３３内に供給される空気は、コンクリート廃材塊３６との熱交換により温度の点での空気調和が行われるばかりでなく、塊状物３７により湿度調整、塵埃除去及び脱臭という、温度以外の点での空気調和が行われ、空調空気として質の高い空気を居室３３内に供給することができ、コンクリート廃材塊３６を蓄熱材として使用することによる塵埃や、蓄熱槽３１に雑菌や水が入り込むことにより発生する悪臭が居室３３内に供給されてしまうことを防止することができる。
【００６３】
以上の実施の形態では、いずれも蓄熱槽の上壁を建築物の床スラブにより構成して、その上側に居室を構成し、床スラブを通しての伝熱によっても居室内に放熱可能に構成しているが、この他、蓄熱槽は、その中のコンクリート廃材塊に蓄えられた熱を、専ら、その中を流して熱交換させた空気を直接に、又は空調機の熱交換部を経て居室に供給して利用するように構成することもできる。
【００６４】
【発明の効果】
本発明は以上のとおり、建築物の床の下方に構成した蓄熱槽内に蓄熱材を充填し、蓄熱槽の一端側に空気導入部、他端側に空気導出部を配置した蓄熱システムにおいて、次のような効果がある。
ａ．蓄熱槽内のコンクリート廃材塊と熱交換した空気は、空気導出部側に充填した塊状物により、温度以外の空気調和がなされて、空調空気として質の高い空気を室内に供給することができる。
ｂ．蓄熱槽内にコンクリート廃材塊と共に複数の短パイプを分散配置することにより、空気流通の良好な個所が分散配置され、このため蓄熱槽内の空気流通を均一化することができ、このことからデッドスペースが生じず、蓄熱槽内のコンクリート廃材塊による蓄熱と放熱を効率的に行うことができる。
ｃ．散水ノズルからの洗浄水によってコンクリート廃材塊や塊状物の表面を洗浄することができ、蓄熱槽の施工直後にコンクリート廃材塊の表面に付着している塵埃や、使用中に蓄熱槽内に発生した雑菌や塵埃を洗浄することで、空調空気として質の高い空気を室内に供給することができる。
ｄ．蓄熱槽内のコンクリート廃材塊に蓄熱された熱を、床スラブを通しての伝熱により直接的に居室内に放熱することもできる。
【図面の簡単な説明】
【図１】本発明に係るコンクリート廃材利用蓄熱システムの第１の実施の形態の要部を示す説明的断面図である。
【図２】本発明に係るコンクリート廃材利用蓄熱システムの第２の実施の形態の要部を示す説明的断面図である。
【図３】本発明に係るコンクリート廃材利用蓄熱システムの第３の実施の形態の要部を示す説明的断面図である。
【図４】本発明に係るコンクリート廃材利用蓄熱システムの全体構成の実施の形態を示す説明的断面図である。
【符号の説明】
１，１１，２１，３１          蓄熱槽
２，１２，２２，３２          床スラブ
３，１３，２３，３３          居室
４（４ａ，４ｂ），１４        空気導入ダクト（空気導入部）
２４（２４ａ，２４ｂ），３４  空気導入ダクト（空気導入部）
５，１５，２５，３５          空気導出ダクト（空気導出部）
６，１６，２６，３６          コンクリート廃材塊
７（７ａ，７ｂ）              塊状物
２７（２７ａ，２７ｂ）        塊状物
１８                          短パイプ
２８                          散水ノズル
２９                          排水ピット
３０                          排水機構
３４ｖ，３５ｖ                切換機構
３７                          塊状物
３８                          屋根
３９                          太陽集熱器
４０                          クールチューブ
４１ａ，４１ｂ，４１ｃ        ダクト
４２，４３                    切換ダンパー
４４ａ，４４ｂ                ダクト
【図１】
2004169977.tif 000003
【図２】
2004169977.tif 000004
【図３】
2004169977.tif 000005
【図４】
2004169977.tif 000006